(57)【要約】【課題】既存の生産設備により、安価で且つ迅速に携帯電話用パッケージを提供することを目的とする。【解決手段】四角形の天パネルと、天パネルの側辺に連ねる長方形の側パネルと、側パネルの側辺に連ねる前記天パネルと同じ大きさの底パネルと、底パネルの側辺に連ねる長方形の側パネルと、側パネルの側辺に連ねる水平パネル・起立片・重合パネルと、重合パネルの側辺に連ねる延出片と、延出片の側辺に連なる係合片とよりなり、重合パネルの起立面寄り端部に対向する底パネル内面に貼り機により糊を付着させて、水平パネルと側パネルとの間の折り曲げ線で折り畳んで前記糊の付着した底パネル内面を重合パネル端部内面に接着させ、延出片・係合片を延出片と重合パネルとの間の折り曲げ線で折り曲げ、水平片の外面に糊を付着させて、天パネル・側パネルを側パネルと底パネルとの間の折り曲げ線で折り畳んで、前記糊の付着した水平片外面を天パネル内面に接着してなる携帯電話用パッケージとした。【選択図】　図５
2004010104.tif 000002
【特許請求の範囲】
【請求項１】
板紙等の紙素材を、抜き型で抜き及びスジ入れ加工したワークを貼り機でワークの流れ方向に糊を付着し、糊を付着させた箇所に他の部分を折り畳んで接着させ、スジ入れ部分をセットアップさせてなる紙構造体。
【請求項２】
四角形の天パネルと、天パネルの側辺に連ねる長方形の側パネルと、側パネルの側辺に連ねる前記天パネルと同じ大きさの底パネルと、底パネルの側辺に連ねる長方形の側パネルと、側パネルの側辺に連ねる水平パネル・起立片・重合パネルと、重合パネルの側辺に連ねる延出片と、延出片の側辺に連なる係合片とよりなり、重合パネルの起立面寄り端部に対向する底パネル内面に貼り機により糊を付着させて、水平パネルと側パネルとの間の折り曲げ線で折り畳んで前記糊の付着した底パネル内面を重合パネル端部内面に接着させ、延出片・係合片を延出片と重合パネルとの間の折り曲げ線で折り曲げ、水平片の外面に糊を付着させて、天パネル・側パネルを側パネルと底パネルとの間の折り曲げ線で折り畳んで、前記糊の付着した水平片外面を天パネル内面に接着してなる携帯電話用パッケージ。
【発明の詳細な説明】
【０００１】
【発明の属する技術分野】
本発明は、紙構造体と携帯電話用パッケージに関するものである。
【０００２】
【従来の技術】
複数の装置部品で構成される商品、例えば携帯電話機本体、充電装置、卓上ホルダーで構成される携帯電話機は、携帯電話機本体、充電装置、卓上ホルダーごとに個別に小箱に包装され、これ等の小箱をまとめて合成樹脂製成形品あるいはパルブモールド成形品に収容したり、最近では複雑な構造の段ボール製パッケージに収容したりしている。
【０００３】
【発明が解決しようとする課題】
複雑な構造の段ボール製パッケージでは、携帯電話の機能向上等に伴うモデルチェンジに迅速に対応できない。既存の生産設備により安価で且つ迅速に携帯電話のパッケージの生産が可能なことが求められる。
【０００４】
【課題を解決するための手段】
そこで、本発明は、上記の事情に鑑み、既存の生産設備により安価で迅速に紙構造体を提供すべく、板紙等の紙素材を、抜き型で抜き及びスジ入れ加工したワークを貼り機でワークの流れ方向に糊を付着し、糊を付着させた箇所に他の部分を折り畳んで接着させ、スジ入れ部分をセットアップさせてなる紙構造体とした。
【０００５】
また、本発明は、既存の生産設備により安価で且つ迅速に携帯電話用パッケージを提供すべく、四角形の天パネルと、天パネルの側辺に連ねる長方形の側パネルと、側パネルの側辺に連ねる前記天パネルと同じ大きさの底パネルと、底パネルの側辺に連ねる長方形の側パネルと、側パネルの側辺に連ねる水平パネル・起立片・重合パネルと、重合パネルの側辺に連ねる延出片と、延出片の側辺に連なる係合片とよりなり、重合パネルの起立面寄り端部に対向する底パネル内面に貼り機により糊を付着させて、水平パネルと側パネルとの間の折り曲げ線で折り畳んで前記糊の付着した底パネル内面を重合パネル端部内面に接着させ、延出片・係合片を延出片と重合パネルとの間の折り曲げ線で折り曲げ、水平片の外面に糊を付着させて、天パネル・側パネルを側パネルと底パネルとの間の折り曲げ線で折り畳んで、前記糊の付着した水平片外面を天パネル内面に接着してなる携帯電話用パッケージとした。
【０００６】
【発明の実施の態様】
本発明を添付する図面に示す具体的な実施例に基づいて、以下詳細に説明する。
【０００７】
図１は、板紙等の紙素材で製作した本携帯電話用パッケージの概略長方形の展開図である。
【０００８】
四角形の天パネル１と、天パネル１の側辺の折り曲げ線２に連ねる長方形の側パネル３と、側パネル３の側辺の折り曲げ線４に連ねる前記天パネル１と同じ大きさの底パネル５と、底パネル５の側辺の折り曲げ線６に連ねる長方形の側パネル７と、側パネル７の側辺の折り曲げ線８に連ねる水平パネル９・起立片１０１　・１０２　・１０３　・１０４　・重合パネル１１と、重合パネル１１の側辺の折り曲げ線１２に連ねる延出片１３と、延出片１３の側片の折り曲げ線１４に連ねる係合片１５とよりなる。
【０００９】
天パネル１の上下辺にそれぞれ折り曲げ線１６１　・１６２　をそれぞれ介して補強パネル１７１　・１７２　を連ねる。
【００１０】
天パネル１には上から順に卓上ホルダー、携帯電話機本体、充電装置を収容する。
【００１１】
上の卓上ホルダーを収容する部分には、左右にそれぞれに縦方向の切れ込み１８・１９を刻設し、切れ込み１８・１９の上端どうし、下端どうしをそれぞれ結ぶ折り曲げ線２０・２１を刻設する。切れ込み１８・１９の中点を結ぶ中心線２２を中心に位置させる波形切れ込み２３を刻設して、上下に波形折り込み２４・２５を形成する。
【００１２】
中央の携帯電話機本体を収容する部分には、左に縦方向の切れ込み２６を、右に概略Ｌ字状の切れ込み２７をそれぞれ刻設する。なお、切れ込み２７の下部には携帯電話機本体のアンテナを収容するための半円弧状の切れ込みを連ねている。同様に折り曲げ線３４・３５を刻設する。また、中心線２８を中心に位置させる波形切れ込み２９を刻設して、上下に波形折り込み３０・３１を形成する。
【００１３】
下の充電装置を収容する部分には、左右にそれぞれ縦方向の切れ込み３２・３３を刻設し、同様に折り曲げ線３６・３７を刻設する。切れ込み３２と切れ込み３３のそれぞれの中点を結び、中心切れ込み３８を刻設して、上下に長方形状折り込み３９・４０を形成する。
【００１４】
水平パネル９は、図１で右下方向の斜線を施した部分で、組立てた際、この外面と天パネル１内面とを接着する。
【００１５】
重合パネル１１は、図１で左下方向の斜線を施した部分で、組み立てた際、この内面と底パネル１内面とを接着する。
【００１６】
符号４１１　・４１２　・４１３　は、組み立てた際の底パネル５からの起立面である。
【００１７】
符号４４は舌片で、水平パネル９の補強のために設ける。
【００１８】
起立片１０１　・１０２　・１０３　・１０４　の左右にはそれぞれセットアップを容易にするためのスジ入れ４２１　・４３１　，４２２　・４３２　，４２３　・４３３　，４２４　・４３４　をそれぞれ刻設する。
【００１９】
次に、上記のように、抜き型で抜き及びスジ入れ加工をしたワークを、サック貼り機により糊付着及び接着を行う。
【００２０】
図２に示すように、重合パネル１１の起立面４１１　・４１２　・４１３　寄り端部（破線ハッチング部分）に対向する底パネル５内面（実線ハッチング部分）にサック貼り機のノズル４７のコンピュータ制御により糊４５を付着させて、水平パネル９と側パネル７との間の折り曲げ線８で折り畳んで前記糊４５の付着した底パネル５内面を重合パネル１１端部内面に接着させる（実線ハッチング部分と破線ハッチング部分とを接着させる）。
【００２１】
次に、図３に示すように、延出片１３・係合片１５を延出片１３と重合パネル１１との間の折り曲げ線１２で起立状に折り曲げる。
【００２２】
続いて、図４に示すように、水平片９の外面にサック貼り機のノズル４８のコンピュータ制御により糊４６を付着させて、天パネル１・側パネル３を側パネル３と底パネル５との間の折り曲げ線４で折り畳んで前記糊４６の付着した水平片９外面を天パネル１内面に接着する。
【００２３】
図５に示すように（天パネル１を接着してない状態を示す）、組み立てる時は、起立片１０１　・１０２　・１０３　・１０４　の上下にスジ入れ４２１　・４３１　，４２２　・４３２　，４２３　・４３３　，４２４　・４３４　が刻設してあるので、容易にセットアップができる。
【００２４】
このように、セットアップすると、ポケット４７・４８・４９が形成でき、ポケット４８には携帯電話機本体５０を収容する。
【００２５】
図６は、携帯電話機本体５０を収容した状態で、延出片１３は斜状で携帯電話機本体５０の移動に対してクッションの役を果たす。
【００２６】
また、波形折り込み３０・３１は携帯電話機本体５０の左右への移動を阻止する役目を果たす。折り込みの先端を波形にすると、中心線２８で切り込みを刻設した場合より、折り込みの長さを長くすることができ、携帯電話機本体５０の移動をより効果的に阻止できる。
【００２７】
【発明の効果】
本発明は、上述のように、板紙等の紙素材を、抜き型で抜き及びスジ入れ加工したワークを貼り機でワークの流れ方向に糊を付着し、糊を付着させた箇所に他の部分を折り畳んで接着させ、スジ入れ部分をセットアップさせてなる紙構造体であるので、既存の生産設備により安価に迅速に紙構造体を提供することができる。
【００２８】
また、本発明は、四角形の天パネルと、天パネルの側辺に連ねる長方形の側パネルと、側パネルの側辺に連ねる前記天パネルと同じ大きさの底パネルと、底パネルの側辺に連ねる長方形の側パネルと、側パネルの側辺に連ねる水平パネル・起立片・重合パネルと、重合パネルの側辺に連ねる延出片と、延出片の側辺に連なる係合片とよりなり、重合パネルの起立面寄り端部に対向する底パネル内面に貼り機により糊を付着させて、水平パネルと側パネルとの間の折り曲げ線で折り畳んで前記糊の付着した底パネル内面を重合パネル端部内面に接着させ、延出片・係合片を延出片と重合パネルとの間の折り曲げ線で折り曲げ、水平片の外面に糊を付着させて、天パネル・側パネルを側パネルと底パネルとの間の折り曲げ線で折り畳んで、前記糊の付着した水平片外面を天パネル内面に接着してなる携帯電話用パッケージであるので、既存の生産設備により安価で且つ迅速に携帯電話用パッケージを提供することができる。
【図面の簡単な説明】
【図１】本発明の携帯電話用パッケージの具体的一実施例の展開図である。
【図２】１回目の糊の付着箇所と折り位置を示す斜視図である。
【図３】延出片・係合片を起立状に折り曲げた状態の斜視図である。
【図４】２回目の糊の付着箇所と折り位置を示す斜視図である。
【図５】ポケット部をセットアップした状態の斜視図である。
【図６】携帯電話機本体を収容した状態の側面図である。
【符号の説明】
１…天パネル
３…側パネル
５…底パネル
９…水平パネル
１０１　・１０２　・１０３　・１０４　…起立片
１１…重合パネル
１４…延出片
１５…係合片
４５…糊
４６…糊
【図１】
2004010104.tif 000003
【図２】
2004010104.tif 000004
【図３】
2004010104.tif 000005
【図４】
2004010104.tif 000006
【図５】
2004010104.tif 000007
【図６】
2004010104.tif 000008